(57)【特許請求の範囲】
【請求項１】
プロファイル本体（１３）を有する水準器であって、前記水準器は、底壁部（２８）と、頭壁部（３２）と、第１の側壁部（３４）と第２の側壁部（３６）とを有し、前記底壁部（２８）は、測定面（２６）の形態で第１の外面（２６）として用いられ、前記頭壁（３２）は、前記底壁部（２８）と反対側にあって、前記測定面に対し少なくとも部分的に平行に延びておりかつ頂面の形態をとる第２の外面（３０）を有し、前記第１の側壁部（３４）と前記第２の側壁部（３６）は、前記底壁部を前記頭壁部と接続しており、一方では、第１の外側の側面（１４）を、他方では、第２の外側の側面（１６）を有し、前記プロファイル本体は、少なくとも１つの気泡管本体を有し、前記測定面（２６）に対して直角を成す垂直軸（１８）に関して、前記プロファイル本体（１３）は、前記プロファイル本体（１３）の側面が全長に亘って非対称的に形成されており、このプロファイル本体の長手方向に見て前記第１の外側の側面（１４）としての1つの側面は、樋状の形状を有し、
前記第２の側面（１６）は、頭部側で延びておりかつ凸面状の形状を有する第１の部分（４２）と、この部分に連続する第２の部分（４４）とにより構成されており、この第２の部分と、前記プロファイル本体（１３）の前記垂直軸線（１８）との間隔は、前記第１の部分（４２）から始まって前記測定面（２６）の方向に拡大していることを特徴とする水準器。
【請求項２】
前記プロファイル本体は、中空チャンバプロファイル本体であることを特徴とする請求項１に記載の水準器。
【請求項３】
前記気泡管本体の気泡管は、前記頭壁部を貫通する少なくとも１つの凹所（２０）を介して、視覚的に認識することが可能であることを特徴とする請求項１または２に記載の水準器。
【請求項４】
前記第１の側面（１４）は、頭部側で、前記プロファイル本体（１３）のエッジを形成する、前記頭壁部（３２）の長手方向縁部（４０）によって区画され、底部側で、前記プロファイル本体のエッジを形成する、前記底壁部(２８)の第１の長手方向縁部（３８）によって区画されていることを特徴とする請求項１ないし３のいずれか1項に記載の水準器。
【請求項５】
前記長手方向縁部（３８，４０）は、前記測定面（２６）に対し垂直に延びている、前記長手方向縁部（３８，４０）を含む平面内に存在することを特徴とする請求項４に記載の水準器。
【請求項６】
前記第２の側壁部（３６）の、前記凸面状の形状を有する前記第１の部分（４２）は、前記頂面（３０）を越えて側方に突出していることを特徴とする請求項１ないし３のいずれか1項に記載の水準器。
【請求項７】
前記第１の部分（４２）は、連続的に、前記底面（２６）に対し傾斜して延びている平面を形成している前記第２の部分（４４）に移行することを特徴とする請求項６に記載の水準器。
【請求項８】
前記第２の部分（４４）は、底部側で、前記測定面（２６）を区画しかつ前記プロファイル本体（１３）のエッジを形成する、前記底壁部（２８）の第２の長手方向縁部（５０）によって区画されていることを特徴とする請求項１，２，３，６，７のいずれか1項に記載の水準器。
【請求項９】
前記長手方向縁部（５０）は、マーキング・エッジとして用いられる段状の長手方向凹所（５０）であることを特徴とする請求項８に記載の水準器。
【請求項１０】
前記底壁（２８）の第２の長手方向縁部（５０）は、前記第２の側面（１６）の前記第１の部分（４２）を越えて側方へ突出していることを特徴とする請求項８または９に記載の水準器。
【請求項１１】
前記第１の部分（４２）は、前記プロファイル本体（１３）の高さの１／２ないし１／４に亘って延びていることを特徴とする請求項１０に記載の水準器。
【請求項１２】
前記第１の部分（４２）は、前記プロファイル本体（１２）の高さの約１／３に亘って延びていることを特徴とする請求項１１に記載の水準器。
【請求項１３】
前記プロファイル本体（１３）は、複数の内室（５２，５４，５６，５８，７０）を区画する内壁部（５８，６０，６２，６４，６６，６８）を有することを特徴とする請求項１ないし３のいずれか1項に記載の水準器。
【請求項１４】
少なくとも１つの内室（７０）には、照明手段、バッテリのグループからの少なくとも1つの機能要素が設けられていることを特徴とする請求項１３に記載の水準器。
【請求項１５】
前記機能要素は、照明手段および／またはバッテリであることを特徴とする請求項１４に記載の水準器。
【請求項１６】
前記垂直軸線（１８）に沿って延びておりかつ前記頭壁（３２）から出ている第１の内壁部（５８）が、断面が三角形の第１の内室（５２）を区画しており、この内室は、外側で、前記第１の側面（１４）を有する前記第１の側壁部（３４）の、頭部側で延びている部分によって区画されていることを特徴とする請求項１３に記載の水準器。
【請求項１７】
前記垂直軸線（１８）に沿って延びておりかつ前記頭壁（３２）から出ている第２の内壁部（６０）が、ほぼ円弧の断面形状を有する第２の内室（５４）を区画し、この内室は、外側で前記第２の側面（１６）の前記第１の部分（４２）を有する前記第２の側壁部（３６）の、一部分によって区画されていることを特徴とする請求項１３に記載の水準器。
【請求項１８】
前記断面形状は、ほぼ半円であることを特徴とする請求項１７に記載の水準器。
【請求項１９】
前記第２の側面（１６）の前記第１の部分（４２）は、前記頂面（３０）の前記頭壁部（３２）と前記第２の側面（１６）との接続部（４３）を超えて出ていることを特徴とする請求項１ないし３のいずれか1項に記載の水準器。
【請求項２０】
第３の内壁部（６２，６４）が、前記第２の側壁部（３６）の、底部側の領域と、前記底壁部（２８）との間に延びており、垂直軸線側で超鈍角を形成する２つのウェブ状の部分からなることを特徴とする請求項１３に記載の水準器。
【請求項２１】
第４の内壁部（６６，６８）が、前記第１の側壁部（３４）の、底部側の部分と、前記底壁（２８）との間に延びており、垂直軸線側で超鈍角を形成する２つのウェブ状の部分からなることを特徴とする請求項１３に記載の水準器。
【請求項２２】
前記気泡管を視覚的に認識することを可能にする前記凹所（２０，２２）は、前記第２の側面（１６）の前記第１の部分（４２）、前記長手方向縁部４０を除いた頭壁部（３２）、および、前記第１の側面（１４）の頭部側で延びている領域を貫通していることを特徴とする請求項３に記載の水準器。
【請求項２３】
前記第１の側壁部（３４）の、頭部側の長手方向縁部（４０）は、連続的に形成されており、そこに前記凹所（２２）が製造されることを特徴とする請求項３に記載の水準器。
【請求項２４】
前記凹所（２２）は、中断することなく、前記垂直軸線（１８）に対し平行になされる１つのフライス工程で、フライス切削の深さを一定にして、製造されることを特徴とする請求項２３に記載の水準器。
【請求項２５】
前記中空プロファイル本体（１３）は、押出しプロファイルの部分であることを特徴とする請求項１，２，３，１３のいずれか1項に記載の水準器。
【請求項２６】
前記押出しプロファイルの部分は、内壁部（５８，６０，６２，６４，６６，６８）を形成する長手方向ウェブを有することを特徴とする請求項２５に記載の水準器。
【請求項２７】
前記測定面（２６）の幅広がりは、前記測定面に対し平行に延びている前記頂面（３０）の幅広がりよりも大きいことを特徴とする請求項１ないし３のいずれか1項に記載の水準器。
【請求項２８】
前記第１のおよび前記第２の側壁部（３４，３６）は、曲面部状に形成されており、前記プロファイル本体の内側で、互いに平行に延びている複数の接続エッジまたは複数の接続面（７６，７８，８０）を有することを特徴とする請求項１ないし３のいずれか1項に記載の水準器。
【発明の詳細な説明】
【技術分野】
【０００１】
本発明は、プロファイル本体、特に中空チャンバプロファイル本体を、水準器本体として有する水準器であって、水準器本体は、底壁部と、頭壁部と、側壁部とを有し、底壁部は、測定面の形態で第１の外面を有し、頭壁部は、底壁部の反対側にあって、測定面に対し少なくとも部分的に平行に延びておりかつ頂面の形態をとる第２の外面を有し、側壁部は、底壁部を頭壁部と接続しており、第１の外側の側面および第２の外側の側面を有し、プロファイル本体には、少なくとも１つの気泡管本体が設けられており、この気泡管本体の気泡管は、視覚的に、好ましくは、頭壁部を貫通する少なくとも１つの凹所を介して、把握可能であり、プロファイル本体は、測定面に対し垂直に延びている垂直軸線に対し、側面側で、プロファイル本体の長さに亘って、非対称的に形成されており、第１の側面としての側面は、プロファイル本体の長手方向に見て、樋状の形状を有してなる水準器に関する。
【背景技術】
【０００２】
水準器は、物体を水平方向または垂直方向に整列させるための試験装置であり、測定面に対し整列されている１つまたは複数の気泡管を有する。水準器の本体は、木材、プラスチックおよび特に金属からなる。押出しプロファイルの部分である矩形プロファイル本体が普及している。Ｈ型プロファルのような他のプロファイルも、同様に用いられる。
【０００３】
プロファイルの形状とは別に、基本的に通常の水準器本体に特有であるのは、本体が両の側面を有し、これらの側面が、垂直軸線に対し対称的に、この本体の垂直軸線に対し実質的に対称的に延びており、例えば、気泡管ホルダのための、これらの側面上にまたはこれらの側面に接触して設けられた固定手段が、このアプローチでは、考慮されていないことである。この意味では、特許文献１に記載の水準器は、同様に、対称的な本体を有し、この本体は、収容部を本体にしっかり取り付けるために、気泡管の領域でのみ、収容部に適合されている。同様のことが、必要な場合に存する停止エッジにも当てはまる。換言すれば、長手方向側部における僅かな部分的な相違を有する本体も、対称的と見なされるのである。
【０００４】
特許文献２からは、水準器に設けられている気泡管を有する水準器が読み取れる。水準器本体は、矩形プロファイルを有し、あるいは、上方のシリンダ状の部分と、下方の台形状の部分とからなる。
【０００５】
特許文献３は、横方向の気泡管を有する水準器に関し、対称的な水準器本体を有し、水準器本体の側面は、凹面状の形状を有する。
【０００６】
特許文献４の主題は、矩形プロファイルの形態の本体を有する、プラスチック製の水準器である。
【０００７】
水準器のためのレーザビーム発生器は、特許文献５から読み取れる。水準器本体は、矩形中空プロファイルからなり、矩形中空プロファイルの中には、レーザダイオードが設けられている。
【０００８】
箱形状の水準器本体を有する水準器が、特許文献６に記載されている。
【０００９】
収容ボックスをセットするための矯正装置は、特許文献７の主題である。
【００１０】
特許文献８は、水準器本体として二重Ｔ形プロファイルを有する水準器に関する。
【００１１】
特許文献９は、台形の断面を有する２つの長手方向部分から構成されている本体を有する水準器に関する。
【００１２】
特許文献１０に記載の水準器本体は、上方のシリンダ状の部分と、下方の台形状の部分とから構成される。
【００１３】
特許文献１１には、角度測定水準器が記載されており、本体はＬ字形の横断面を有する。
【００１４】
特許文献１２からは、移動可能な延長手段を有する水準器が読み取れる。ここでは、水準器本体は、互いに平行に延びている両の側面を有する。一方の側面が樋状に形成されており、これに対応して、反対側にある側面は、凸面状の形状を有する。
【先行技術文献】
【特許文献】
【００１５】
【特許文献１】US-A-285,775
【特許文献２】DE-B-11 2005 000 019
【特許文献３】DE-A-454 471
【特許文献４】DE-A-2 040 895
【特許文献５】DE-U-93 19 184
【特許文献６】DE-U-83 11 864
【特許文献７】DE-U-82 10 917
【特許文献８】US-A-5,134,780
【特許文献９】US-A-5,940,978
【特許文献１０】US-A-2005/0229415
【特許文献１１】EP-A-1 122 512
【特許文献１２】EP-A-1 480 010
【発明の概要】
【００１６】
本発明の目的は、明細書の最初の部分に記載されたタイプの水準器を、水準器本体が、人間工学的な観点から、確実な把持および操作を可能にし、同時に、安定的なベース面を使用することができるように、改善することである。更に、斜めにまたは垂直に延びている面への宛がいが、なされるとき、確実な保持従ってまた滑り防止が保証されていることが意図される。
【００１７】
上記目的を解決するために、本発明は、第２の側面が、頭部側で延びておりかつ凸面状の形状を有する第１の部分と、この部分に連続する第２の部分とにより構成されており、この第２の部分と、プロファイル本体の垂直軸線との間隔は、第１の部分から始まって測定面の方向に拡大していること、実質的にこのことを提案する。
【００１８】
前に知られている水準器本体と異なって提案されるプロファイル本体は、自らの垂直軸線が位置していてなる平面に対し、プロファイル本体の全長に亘って非対称的に形成されており、一方の側面は、樋状とも呼ばれる凹面状の形状を示している。従って、「樋状の」および「凹面状の」は同意語である。このことによって、垂直に延びている面への確実な宛がいが可能である。何故ならば、凹面状の領域を区画する縁部は、垂直に延びている面への、線状の力の伝達を可能にし、その結果、力の僅かな伝達による移動が著しく防止されるからである。
【００１９】
凹面状のまたは樋状の形状を有する第１の側面は、特に、測定面に対し垂直に延びているなる平面に位置している縁部またはエッジによって、区画される。
【００２０】
第２の側面は、頭部側で延びておりかつ凸面状の形状を有する第１の部分と、この部分に連続する第２の部分とにより構成されており、この第２の部分は、特に平坦であり、従って、断面では、一直線に沿って延びている。
【００２１】
本発明により提案される水準器本体は、自らの垂直軸線に対し、側面側で、プロファイル本体の長さに亘って非対称的に形成されており、両の側面は互いに平行に延びていない。
【００２２】
ここで特に提案されるように、第２の部分と、プロファイル本体の垂直軸線との間隔は、第１の部分から測定面の方向に拡大しており、第２の側面の、凸面状の形状を有する第１の部分が、部分的に、側方に頂面を越えて突出していることは好ましい。
【００２３】
従って、非対称的なプロファイルを有する水準器本体が提案される。水準器本体の一方の側面は、凹面状の形状を有し、水準器の他方の側面は、下方の直線的な部分と、この部分に続く上方の凸面状の分部とから構成される。
【００２４】
前述の形状は、この場合、長手方向側部の各々の外面に関する。
【００２５】
第２の側面の下方の部分の形状によって、知られた水準器本体と比較して、幅の広いベース面が生じる。更に、横軸の方向における強度が、矩形のプロファイルを有する水準器と比較して、大きい。
【００２６】
第２の側面の上方の部分のデザインによって、従って、凸面状の形状によって、更に、確実な把持が保証されている。水準器は、第２の側面の、外側へ曲げられた部分が、手のひらに位置しているように、無意識に把持される。何故ならば、水準器が、この場合、凹面状の面従ってまたこの面を区画する縁部が掌に接触してなる位置よりも、手の中でより快適に感じられるからである。
【００２７】
特に本発明が提案するように、第１の側面は、頭部側で、プロファイル本体のエッジを形成する、頭壁部の長手方向縁部によって区画され、底部側で、プロファイル本体のエッジを形成する、底壁部の第１の長手方向縁部によって区画されている。
【００２８】
この場合、長手方向縁部は、外側で、底面に対し垂直に延びている平面に延びているほうがよい。
【００２９】
かようにして、２つのマーキング補助具が用いられる。マーキング補助具は、第１の側面を区画する、プロファイル本体の長手方向縁部または長手方向エッジによって、形成され、かつ支持面に宛がい可能である。
【００３０】
第２の側面は、凸面状の第１の部分が、連続的に第２の部分に移行し、第２の部分は、外側で、底面に対し傾斜して延びている平面を形成することを特徴とする。この場合、第２の部分は、底部側で、測定面を形成しかつプロファイル本体のエッジを形成する、底壁部の第２の長手方向縁部によって、区画されているほうがよい。
【００３１】
かようなエッジは、マーキング・エッジを形成する。特に提案されていることは、マーキング・エッジが、段状の長手方向縁部凹所を有し、それ故に、例えば墨による線引きが万一なされるときにも、申し分のないマーキングがなされることができることである。更に、このことによって、実際の測定面が保護されている。何故ならば、測定面のエッジが、側面の平面には延びていないからである。
【００３２】
このこととは別に、第２の側面の第１の部分が、頂面から出ているほうがよい。
【００３３】
第１の部分が、プロファイル本体の高さの１／２ないし１／４，特に約１／３に亘って延びていることが提案されていることは好ましい。
【００３４】
強調される実施の形態で、本発明が提案することは、プロファイル本体が、中空チャンバプロファイル本体であり、複数の内室を区画する内壁を有し、少なくとも１つの内室に、照明手段および／またはバッテリのような機能要素が設けられていることは好ましいことである。
【００３５】
プロファイル本体の好ましい形状は、以下の特徴の中に見出される。
【００３６】
かくして、垂直軸線に沿って延びておりかつ頭壁から出ている第１の内壁が、断面が三角形の第１の内室を区画しており、この内室は、外側で、第１の側面を有する第１の側壁部の、頭部側で延びている部分によって区画されている。
【００３７】
その代わりにまたは補足的に、垂直軸線に沿って延びておりかつ頭壁から出ている第２の内壁部が、円弧の、好ましくは半円の断面形状を有する第２の内室を区画し、この内室は、外側で第２の側面の第１の部分を有する第２の側壁の、一部分によって区画されている。
【００３８】
モジュール・システムを正確な位置に入れるためには、第１のおよび第２の側壁部が、ウェブ状に形成されており、プロファイル本体の内側で、互いに平行に延びている接続エッジまたは接続面すなわち停止エッジまたは突出部を有することが提案されている。
【００３９】
更に、強調されるべきことは、気泡管の視覚的把握を可能にする凹所が、第２の側面の第１の部分、長手方向縁部を除いた頭壁部、および、第１の側面の、頭部側で延びている領域を貫通していることである。このことによって、第１の側壁の、頭部側の長手方向縁部が、連続的にデザインされており、第１の側壁が、基本的には気泡管の領域で、ウェブによって区画されている。
【００４０】
側壁のデザインの故に、只１つのフライス工程で、頂面の領域で凹所を製造する可能性がある。第１の側面を頭部側で区画する上方エッジは、連続的にデザインされており、かくして、マーキング補助具を供する。かくして、切換なしのフライス切削中に、部分的に、第１の側壁部、頭壁部および第２の側壁部を作り出すことができるであって、頭壁部と第１の側壁部との間の移行部を区画する上方エッジまたは上方縁部が、除去されない。というのは、第１の側壁部は、上方縁部に対し、プロファイル本体の垂直軸線の方向に、縁部からまず引っ込むように延びているからである。かようにして、フライス切削の最中に、切換なしにおよびフライス切削レベルの変更なしに、凹所を作ることができる。
【００４１】
かくして、連続的なマーキング補助具が用いられる。それにも拘わらず、凹所に挿入された気泡管は、両側面および頂面から見て、視覚的に容易に把握可能である。
【００４２】
これらの構造上のおよび製造技術上の処置には、独自発明的な特徴が見られる。
【００４３】
更に、第３の内壁部は、第２の側壁部の、底部側の領域と、底壁部との間に延びており、垂直軸線側で超鈍角を形成する２つのウェブ状の部分からなることが可能である。
【００４４】
実施の形態では、第４の隔壁すなわち内壁部は、第１の側壁部の、底部側の部分と、底壁部との間に延びており、垂直軸線側で超鈍角を形成する２つのウェブ状の部分からなることが可能である。
【００４５】
このこととは別に、押出しプロファイルの一部分であるプロファイル本体は、プラスチックまたは金属からなることが可能である。
【００４６】
本発明の複数の他の詳細、利点および特徴は、複数の請求項と、これらの請求項から読み取れる、単独および／または組合せで生じる複数の特徴とからのみならず、図面から見て取れる複数の好ましい実施の形態の以下の記述からも明らかである。
【図面の簡単な説明】
【００４７】
【図１】水準器本体の第１の実施の形態を示す。
【図２】水準器本体の第２の実施の形態を示す。
【図３】気泡管を除いた、図１および図２に示した水準器本体の横断面を示す。
【発明を実施するための形態】
【００４８】
同一の要素には同一の参照符号が用いられてなる図面からは、水準器本体１０，１２の複数の実施の形態が見て取れる。これらの水準器本体は、長手方向側部の外面１４，１６が、垂直軸線１８に対し非対称的に形成されており、従って、互いに異なる形状を有することを特徴とする。更に、外面１４，１６は、互いに平行に延びてはいない。非対称性および平行性の欠如は、本発明に係わる水準器本体１０，１２の際立った特徴である。
【００４９】
かような水準器本体１０、１２の凹所２０，２２，２４へは、気泡管を有する気泡管ホルダが挿入される。更に、中空体プロファイルからなる水準器本体は、端部側で、特にプラスチックからなるキャップによって閉じられる。しかしながら、この点については、十分に知られた構造を参照するよう指摘する。
【００５０】
本発明によれば、水準器本体１０，１２は、既知の水準器本体とは、上述のように、水準器本体の外面１４，１６が、水準器本体１１，１２の長手方向に見て、垂直軸線１８が位置していてなる平面に対し、非対称的な形状を有する点で異なっている。水準器本体１０，１２は、気泡管ホルダを収容するための、頭部側の凹所２０，２２に関して、互いに異なっている。その他では、水準器本体１０，１２は、該水準器本体がプロファイル本体１３が押出しプロファイルの部分の形態のプロファイル本体である点で、一致している。従って、非対称形状が、水準器本体１０，１２の全長に亘って延びている。
【００５１】
中空のプロファイル本体１３は、通常では、外側に測定面２６として用いられる底壁２８から、反対側には、外側に頂面３０を形成する頭壁部３２から、ならびにウェブ状の側壁部３４，３６からなる。側壁部は、外側に、第１の側面１４および第２の側面１６を有する。
【００５２】
頂面３０は、部分的に、測定面２６に平行に延びており、従って、同様に、測定面の機能を担う。
【００５３】
第１の側面１４は、樋状のまたは凹面状の形状を有する。第１の側面１４、従ってまた第１の側壁３４は、プロファイル本体１３の長手方向エッジすなわち長手方向縁部３８，４０によって区画される。従って、長手方向エッジは、プロファイル本体の長手方向エッジである。従って、両エッジは、頭壁部３２と第１の側壁部３４との間の、およびこの側壁と底壁２８の間の交差線である。
【００５４】
樋状の形状は、断面が弓形の、屋根型のまたは台形の形状に対応してもよい。その目的は、樋の形または凹面状の形状である形状を例として挙げるためにすぎない。
【００５５】
第２の外面１６は、凸面状の形状を有する上方の即ち第１の部分４２と、平面を規定する下方の即ち第２の部分４４とを有する。この平面即ち第２の部分は、外側で、断面で直線をたどる。
【００５６】
この場合、上方の部分４２が、連続的に、下方の直線状の部分４４に移行していることは好ましい。それ故に、移行領域には、凹面状の部分４６が生じる。
【００５７】
第２の長手方向側部１６の、凸面状に延びている上方の即ち第１の部分４２が、水準器本体１０，１２の約３分の１の高さに亘って延びていることは好ましい。
【００５８】
図３の図形表示から明らかなように、第２の部分４４、従って直線状の部分と、プロファイル本体１３の垂直軸線１８との距離は、第１の部分４２の端部から始まって、測定面２６の方向に拡大している。従って、比較的幅の広い測定面２６従ってまた、水準器本体１０，１２のための従ってまた水準器自体のための底面が生じる。
【００５９】
水準器本体１０，１２の、第２の部分４４を有する下部は、従って、断面では、非対称的な台形の形状を有する。
【００６０】
更に、外側で凸面状に延びている第１の部分４２は、頂面３０を越えて横方向に突き出ている。
【００６１】
そのほかに自明な図形表示から更に明らかなように、第１の側壁部３４を区画する長手方向縁部即ち長手方向エッジ３８，４０は、測定面２６に対し垂直に延びている平面内で延びている。
【００６２】
測定面２６は、プロファイル本体１３の、下方の長手方向縁部即ち下方の長手方向エッジ３８によって、ならびに第２の長手方向縁部即ち長手方向エッジ４８によって区画される。この長手方向エッジでは、第２の長手方向側部すなわち凹面状の部分４６の第２の部分４４が終わっている。この場合、第２の長手方向縁部４８の長手方向には、段５０が延びている。この段は、測定面２６および頂面３０の境界、すなわち長手方向縁部３８，４０と全く同様に、マーキング補助具として用いられる。
【００６３】
側面すなわち外面１４，１６の非対称的な形状によって、プロファイル本体１３すなわち水準器本体１０，１２従ってまた水準器は、人間工学的に好都合にデザインされている。このことによって、取り扱いが容易になる。というのは、長手方向縁部３８，４０と、水準器本体１０，１２の、両方の長手方向縁部の間に延びている凹面状の領域と、反対側にある長手方向側部にある凸面状の上方の第１の部分４２とによって、水準器本体１０，１２は、凸面状の領域が手のひらに位置しているように、無意識的に把持される。何故ならば、他の場合には、長手方向縁部４０および３８が望ましくない作用を及ぼすだろうからである。従って、凹面状のまたは樋状の第１の側面１４は、一方の手の指によって触れられる。
【００６４】
水準器本体１０，１２の形状および長手方向縁部３８，４０によって、斜めにまたは垂直に延びている面へ水準器本体１０，１２をしっかりとあてがうことが可能である。線状の接触があって、水準器本体１０，１２への力の僅かな伝達によって、しっかりとした固定がなされるという結果が生じる。
【００６５】
表示から明らかなように、水準器本体１０，１２すなわちプロファイ本体１３は、内室５２，５４，５６，５８を有する。これらの内室は、各々の上方のおよび下方の縁部で、従って、頭壁部３２および底壁部２８の領域で、プロファイル本体の長手方向に延びている。第１の内室５２は、ウェブ状の第１の中間壁部５８によって区画される。この中間壁部は、垂直軸線１８に対しほぼ平行に延びており、断面が三角形の第１の内室５２を区画する。この内室は、外側では、第１の側壁部３４によって閉じられる。第２の内室５４の断面は、ほぼ円弧状の形状を有し、この内室は、垂直軸線１８に対し平行に延びているウェブ状の第２の内壁６０によって、区画される。
【００６６】
下方の長手方向縁部即ち長手方向エッジ３８，４０の領域では、第３のおよび第４の内室５６，５８が延びている。これらの内室は、垂直軸線側で、ウェブ状の壁部６２，６４および６６，６８夫々によって区画されている。これらの壁部は、垂直軸線側で、超鈍角を形成する。
【００６７】
内室５２，５４，５６，５８は、例えば、バッテリ、照明手段、ダイオード、チップのような機能要素を収容するために、用いられる。同様なことは、内壁部５８，６０，６２，６４，６６，６８と、側壁部３４，３６の残りの自由面とによって区画される内室７０とにも当てはまる。
【００６８】
更に、側壁部３４，３６の内面７２，７４からは、停止エッジまたは突出部７６，７８，８０が出ている。停止エッジまたは突出部は、機能要素を収容するために用いられる。
【００６９】
凹所２０，２２，２４を、プロファイル本体１３から、フライス切削することができる。この場合、特に図２の実施の形態では、上方のエッジ即ち上方の長手方向縁部４０によって形成されるマーキング補助具が連続的に形成されていて、凹所２２に挿入された気泡管が、側面１４，１６および頂面３０の把握が損なわれる程に、視覚的に遮られることはない、という利点がある。凹所２２は、更に、置き換えなしに、只１つのフライス工程で、加工されることができる。というのは、垂直軸線に沿った、しかしまた水平軸線に沿ったフライス切削の際に、１つの作業工程で、側壁部３６の上方の凸面状の部分４２、隔壁すなわち内壁部６０、頭壁部３２、内壁５８の領域が、フライス切削によって取り除かれることができ、同様に、第１の内室５２を区画する第１の側壁３４の領域は、長手方向縁部６０を除いて、妨害され、フライス切削後にウエブが残る。このことの原因は、プロファイル本体の幾何学的形態にある。何故ならば、第１の側壁３４と垂直軸線との間隔が、長手方向縁部即ち長手方向エッジ４０から始まって、垂直軸線１８の方向に減少するからである。
【００７０】
水準器本体１０，１２は、前述のように、中空プロファイル本体であり、特に金属製の、押出しプロファイルの一部分である。当然ながら、押出しプロファイルは、プラスチックからなっていてもよい。
【００７１】
押出しプロファイルは、測定面２６および頂面３０に対し垂直に延びている垂直軸線１８に対し、長さに亘って非対称的であり、すなわち、垂直軸線１８に沿って延びている外壁部は、測定面２６に対し垂直に延びていてかつ垂直軸線１８が位置していてなる平面に対し、非対称的に延びている。両の外壁部のうちの１つが、外側で、樋状の形状を有し、反対側にある外壁部は、外側で、外へ湾曲している部分と、この部分から出ている平坦な部分とを有する。平坦な部分と垂直軸線との間隔は、湾曲した部分から始まって、垂直軸線に対し、測定面として使用可能な壁部の方向に増大する。
【符号の説明】
【００７２】
１３  プロファイル本体
１４  長手方向側部の外面
１６  長手方向側部の外面
１８  垂直軸線
２０  凹所
２６  測定面
２８  底面
３０  外面
３２  頭壁部
３４  側壁部
３６  側壁部
４２  第１の部分
４４  第２の部分。
【図１】
0005976280.tif 000002
【図２】
0005976280.tif 000003
【図３】
0005976280.tif 000004